【事件の表示】
　平成１０年特許願第　　７３１６号「画像入力装置」拒絶査定不服審判事件〔平成１１年　７月３０日出願公開、特開平１１−２０３４５１〕について、次のとおり審決する。
【結　論】
　本件審判の請求は、成り立たない。
【理　由】
１．手続の経緯・本願発明
　本願は、平成１０年１月１９日の出願であって、その請求項１に係る発明は、特許請求の範囲の請求項１に記載された次のとおりのものと認める。（以下、「本願発明」という。）。
「【請求項１】
　原稿の画像を光電的に読み取り、得られた画像データに所定の画像処理を施して出力用画像データとする画像入力装置であって、
　出力用画像データを得るための本読みに先立って行われる所定条件での画像読取である先読みによって得られた画像データに応じて、前記本読みの読取条件を決定する読取条件設定手段と、前記読取条件設定手段によって設定された読取条件に応じて行われた本読みの画像データを記憶する記憶手段と、前記本読みによって得られた画像データに応じて、出力用画像データを得るための画像処理条件を設定する処理条件設定手段と、前記記憶手段から本読みの画像データを受け、前記処理条件設定手段によって設定された画像処理条件に応じて画像処理を行う画像処理手段とを有することを特徴とする画像入力装置。」
　
２．引用例
  原審の拒絶理由に引用された、特開平９−６２８２６号公報（公開日平成９年３月７日）（以下「引用例１」という。）には、図面とともに次の事項が記載されている。
「【００１５】
　【発明の実施の形態】
  本発明に係る画像読取装置を添付の図面に示す好適実施例に基づいて以下に詳細に説明する。図１は、本発明の画像読取装置を利用する画像走査読取再生システムの構成ブロック図である。この画像走査読取再生システム１０（以下、システム１０とする）は、透過原稿もしくは反射原稿に担持された画像をＲ（赤）、Ｇ（緑）およびＢ（青）の３原色に色分解して光電的に読み取り、電気信号として得られた画像信号を画像処理した後、この画像情報に応じてフィルム感光材料を露光して、Ｃ（シアン）版、Ｍ（マゼンタ）版、Ｙ（イエロー）版、および墨（Ｋ）版の４枚のフィルム版を形成して出力するものである。
【００１６】このシステム１０は、基本的に、印刷物や写真等の反射原稿の画像を光電的に読み取る反射原稿入力ユニット（以下、反射原稿スキャナという）１２と、スライドやリバーサルフィルム等の透過原稿の画像を光電的に読み取ると共に、反射原稿スキャナ１２の制御、ならびに電気信号として得られた画像信号に所定の画像前処理を施して出力する透過原稿入力ユニット（以下、透過原稿スキャナ１４という）と、反射原稿スキャナ１２および透過原稿スキャナ１４等を操作・制御すると共に、反射原稿スキャナ１２および透過原稿スキャナ１４によって読み取られた画像（プレスキャン画像）を表示するとともに本スキャンのための画像処理条件等を演算し、決定するワークステーション１６と、透過原稿スキャナ１４で読み取られ、画像前処理されたＲ，Ｇ，Ｂの３色の画像信号に所定の画像処理を施して、Ｙ，Ｍ，Ｃ，Ｋの４色の画像濃度信号として出力する画像処理ユニット１８と、画像処理ユニット１８から出力される４色の画像濃度信号に網掛処理を施してＹ，Ｍ，Ｃ，Ｋの４色の網点画像信号として出力する出力インターフェースユニット２０と、各色の網点画像信号に応じて変調された光ビームを用いてフィルム感光材料を露光、例えば走査露光した後、現像処理して各色の製版フィルムを作製して、出力する製版フィルムプリンタ（画像記録装置）２２とを有する。
【００１７】ここで、透過原稿スキャナ１４とワークステーション１６との間、ワークステーション１６と画像処理ユニット１８との間および画像処理ユニット１８と出力インターフェースユニット２０との間は、いずれも汎用の接続標準インターフェースであるＳＣＳＩ（スカジィ）によって接続される。
【００１８】ここで、透過原稿スキャナ１４は、読み取ったＲ，Ｇ，Ｂの３色の画像信号に入力キャリブレーションや主走査方向の倍率合わせなどの入力処理および反射原稿入力ユニット（スキャナ）インターフェースなどを含む入力処理基板１４ａと、画像バッファを含み、そこへのデータの書き込み、読み出し制御、透過原稿スキャナ１４およぴ反射原稿スキャナ１２のスキャナメカニズムの制御および通信制御（反射原稿スキャナ（ＲＦ）、透過原稿スキャナ（ＴＲ）、ワークステーション（ＷＳ）、端末（ＰＣ）との間）などを行うＣＰＵ基板１４ｂと、ＣＰＵ基板１４ｂにＳＣＳＩバスを介して接続されるハードディスク（ＨＤ）等の記憶装置からなる大容量、例えば１Ｇバイトのバッファ１５とを有する。スキャナ１２および１４の詳細については後述する。また、ＣＰＵ基板１４ｂには反射原稿スキャナ１２、カセットストッカ２４および端末（ＰＣ）がシリアル通信ラインを介して接続される。なお、反射原稿スキャナ１２を反射原稿入力インターフェース２６を介してＳＣＳＩ（バス）で直接ワークステーション１６に接続してもよい。
【００１９】ワークステーション１６は、ファイルサーバ２８との間でプログラムやデータのやり取りを双方向で行うことができる。また、本画像走査読読取再生システム１０を起動するに当り、このシステム１０を構成する各ユニット、例えば透過原稿スキャナ１４、画像処理ユニット１８および出力インターフェースユニット２０を動作するプログラムおよびデータをワークステーション１６からダウンロードするのが好ましい。
【００２０】画像処理ユニット１８は、その入出力部の小容量画像バッファを含み、その制御およびデータの圧縮／伸張を行うＣＰＵ基板１８ｂと、主副走査方向の変倍、色処理（３色→４色変換）、このシャープネス処理、マージやレイアウト処理などの画像処理を行うための画像処理基板１８ａとを有する。ところで、画像処理ユニット１８を、他のシステム１９との間もＳＣＳＩインターフェースで接続し、所定の画像処理が施されたＹ，Ｍ，Ｃ，Ｋの４色の画像信号を他のシステム１９に出力することもできるし、他のシステム１９からＲ，Ｇ，Ｂの３色の画像信号またはＹ，Ｍ，Ｃ，Ｋの４色の画像信号を受け取って、所定の画像処理を施して、出力インターフェースユニット２０に出力することもできる。なお、画像処理ユニット１８の詳細についても後述する。
【００２１】出力インターフェース（ＩＦ）ユニット２０は、入力部にＳＣＳＩインターフェースと、このＳＣＳＩインターフェースを介して入力されたＹ，Ｍ，Ｃ，Ｋの４色の画像濃度信号を一時的に保持する小容量の画像バッファを含み、その制御、後述するトグルバッファのバッファトグル管理およびデータの圧縮／伸張を行うＣＰＵ基板２０ｂと、Ｙ，Ｍ，Ｃ，Ｋの４色の画像濃度信号に整数変倍、網掛処理、出力処理などを行うための出力処理基板２０ａと、ＣＰＵ基板２０ｂに接続される２つの大容量バッファ、例えばハードディスク２１ａおよび２１ｂとを有する。
【００２２】ここでバッファ２１ａおよび２１ｂはいずれも網点画像信号を各色毎に１枚分ずつ格納できる容量を有し、一方のバッファ、例えばバッファ２１ａに画像処理ユニット１８から伝送される４色のＹ，Ｍ，Ｃ，Ｋの画像濃度信号が各色毎に書き込まれている場合には、他方のバッファ２１ｂからは４色のＹ，Ｍ，Ｃ，Ｋの４色の画像信号を読み出して製版フィルムプリンタ２２に出力するのが良い。そして、バッファ２１ａへの画像データの書き込みおよびバッファ２１ｂからの画像データ信号の読み出しが共に終了した時には、今度はバッファ２１ａから格納された画像データを読み出してプリンタ２２に送信し、バッファ２１ｂに画像処理ユニット１８から送られてくる画像データを書き込むことを繰り返すように構成するのが好ましい。」（４頁６欄３６行−５頁８欄４６行）、
　
「【００３０】また、画像信号は画像前処理後、直ちにメインバッファ１５にためることができるので、ワークステーション１６の画像信号の取込速度は遅くても、生産性を低下させることはない。もともと、ワークステーション１６は速度的にリアルタイムで画像データ信号を取り込めるほど速く動作するものではないが、プレスキャン時のように画像読取条件や画像記録条件を設定するために必要な画素数は、本スキャンに比べ大幅に少ないので、条件算出あるいは条件設定のための演算や操作はワークステーション１６で行うのがよい。しかし、本スキャン時には、透過原稿入力ユニット１４で読み込んだ画像信号は、画像前処理後、リアルタイムでメインバッファ１５に取り込み、ワークステーション１６内に取り込まず、バイパスさせて、ＳＣＳＩバスを介してそのまま画像処理ユニットに送ることができる。従って、ワークステーション１６の画像取込速度は遅くても、生産性を低下させることはない。」（７頁１１欄３０行−４６行）
　
と記載されているから、これらの記載より引用例１には次のことが記載されている。
「透過原稿もしくは反射原稿に担持された画像をＲ（赤）、Ｇ（緑）およびＢ（青）の３原色に色分解して光電的に読み取り、電気信号として得られた画像信号を画像処理した後、この画像情報に応じてフィルム感光材料を露光して、Ｃ（シアン）版、Ｍ（マゼンタ）版、Ｙ（イエロー）版、および墨（Ｋ）版の４枚のフィルム版を形成して出力する画像走査読取再生システム１０であって、
   反射原稿スキャナ１２および透過原稿スキャナ１４等を操作・制御すると共に、反射原稿スキャナ１２および透過原稿スキャナ１４によって読み取られた画像（プレスキャン画像）を表示するとともに、プレスキャン時は画像読取条件や画像記録条件を設定するために必要な画素数は、本スキャンに比べ大幅に少ないので条件算出あるいは条件設定のための演算や操作を行い、本スキャン時は、透過原稿入力ユニット１４で読み込んだ画像信号は、画像前処理後、内に取り込まず、バイパスさせるワークステーション１６と、ＣＰＵ基板１４ｂにＳＣＳＩバスを介して接続されるハードディスク（ＨＤ）等の記憶装置からなる大容量、例えば１Ｇバイトのバッファ１５と、透過原稿スキャナ１４で読み取られ、画像前処理されたＲ，Ｇ，Ｂの３色の画像信号に所定の画像処理を施して、Ｙ，Ｍ，Ｃ，Ｋの４色の画像濃度信号として出力する画像処理ユニット１８とを有し、前記バッファ１５に、本スキャン時には、透過原稿入力ユニット１４で読み込んだ画像信号を、画像前処理後、リアルタイムでに取り込むことができる画像走査読取再生システム。」
 　
３．対比
　そこで、本願発明と引用例１の発明とを比較すると、
引用例１の「ワークステーション１６」は、下記の相違点を除いて、本願発明の「読取条件設定手段」に相当し、
引用例１の「バッファ１５」は、本願発明の「記憶手段」に相当し、
引用例１の「画像処理ユニット１８」は、下記の相違点を除いて、本願発明の「画像処理手段」に相当し、
引用例１の「画像走査読取再生システム１０」は、本願発明の「画像入力装置」に相当することから、
　両者は
「原稿の画像を光電的に読み取り、得られた画像データに所定の画像処理を施して出力用画像データとする画像入力装置であって、
　出力用画像データを得るための本読みに先立って行われる所定条件での画像読取である先読みによって得られた画像データに応じて、前記本読みの読取条件を決定する読取条件設定手段と、前記読取条件設定手段によって設定された読取条件に応じて行われた本読みの画像データを記憶する記憶手段と、前記記憶手段から本読みの画像データを受け、画像処理条件に応じて画像処理を行う画像処理手段とを有することを特徴とする画像入力装置。」
で一致し、以下の点において相違する。
　
（相違点）
（相違点１）
　出力用画像データを得るための画像処理条件を設定し、画像処理を行うのに、本願発明では、本読みによって得られた画像データに応じて、出力用画像データを得るための画像処理条件を設定する処理条件設定手段を設け、前記処理条件設定手段によって設定された画像処理条件に応じて画像処理手段が画像処理を行うのに対して、引用例１では、画像処理ユニット１８が行う画像処理の画像処理条件をどのような画像データに基づいて決定するのか不明である点。
　
４．当審の判断
　上記相違点１について
　審判請求書についての平成１５年６月４日付けの手続補正書で、引用例１に記載された技術である従来技術と本願発明を参考図として図解しているのでそれも参酌すると、従来技術と本願発明の違いは、結局のところ、ユーザーが検定し画像処理条件を設定する対象画像が、本願発明では本読みしたものであるのに対して従来技術においては先読みしたものという点に帰着する。
　そこで、ユーザーが検定し画像処理条件を設定する対象画像を、先読みしたものから本読みしたものにすることが、当業者にとって容易に推考できるものでないといえるかどうかについて検討すると、本読み画像は出力する画像に利用される画像処理の対象となる画像であるのに対して、先読み画像は出力する画像に利用される画像処理の対象となる画像ではなく、読取条件の設定に利用することを第１の用途として得るものであるから、読み取りが最良になることが優先され、出力される画像が最良となる処理条件は必ずしもこの先読み画像からは推測することはできないことは明らかである。従って、出力される画像の処理条件は、その出力される画像の処理を行う前の画像即ち本読み画像に基づいて設定するようにすれば最良となるようにできるであろうことは当業者であれば容易に推考できる程度のものと認められるから、ユーザーが検定し画像処理条件を設定する対象画像を、本願発明のように本読みしたものとすることに、当業者にとって格別困難性があるとは認められない。
　したがって、引用例１において本読みデータによって得られた画像データに応じて画像処理条件を演算するようにすべく、上記相違点１で指摘の本願発明のようにすることは当業者が容易に想到し得るものと認められる。
　
　５．むすび
　以上のとおり、本願発明は、引用例１に記載された発明に記載された発明に基づいて当業者が容易に発明をすることができたものであるから、特許法第２９条第２項の規定により特許を受けることが出来ない。
　よって、結論のとおり審決する。